(57)【要約】      （修正有）【課題】結像品質が良くなり、レンズ組の体積を縮小することができ、非点収差が降下し、レンズの点数を低減することができる撮影用光学レンズ組を提供する。【解決手段】撮影用光学レンズ組は、物体側から像側に順次に配列され、正屈折力を持つ非球面の第一レンズと、負屈折力を持つ第二レンズと、負屈折力を持つ非球面の第三レンズの三つのレンズから構成され、第三レンズの焦点距離をf3とし、全体の焦点距離をfとすれば、  ｜f/f3｜＞0.2の条件を満足する。【選択図】図１
2008065305.tif 000002
【特許請求の範囲】
【請求項１】
屈摺力を持ち接物側から接像側に順次に排列される、正屈折力を持つ非球面の第一レンズと、負屈折力を持つ第二レンズと、負屈折力を持つ非球面の第三レンズと、から構成され、前記第三レンズの焦点距離をf3とし、全体の焦点距離をfとすれば、｜f/f3｜＞0.2との条件を満足することを特徴とする、撮影用光学レンズ組。
【請求項２】
前記第二レンズと前記第三レンズとは、樹脂製品であり、且つその前面と背面とが非球面であることを特徴とする、請求項１に記載の撮影用光学レンズ組。
【請求項３】
前記第一レンズと前記第二レンズと前記第三レンズとの前面と背面とが非球面であることを特徴とする、請求項２に記載の撮影用光学レンズ組。
【請求項４】
前記第一レンズは、前面が凸面であり、背面が凹面であり、前記第二レンズは、前面が凹面であり、背面が凸面であり、前記第三レンズは、前面が凸面であり、背面が凹面であり、且つ前記第三レンズ３０には反曲点が設けてあることを特徴とする、請求項３に記載の撮影用光学レンズ組。
【請求項５】
前記第一レンズの前には絞りが設置してあることを特徴とする、請求項４に記載の撮影用光学レンズ組。
【請求項６】
前記第三レンズの前面の有効直径の高さをＳＡＧ３１とすれば、ＳＡＧ３１＜−０．１ｍｍとの条件を満足することを特徴とする、請求項５に記載の撮影用光学レンズ組。
【請求項７】
前記第二レンズのアッベ数をＶ２とすれば、Ｖ２＜２８との条件を満足することを特徴とする、請求項２に記載の撮影用光学レンズ組。
【請求項８】
前記第二レンズのアッベ数をＶ２とすれば、Ｖ２＜２４との条件を満足することを特徴とする、請求項７に記載の撮影用光学レンズ組。
【請求項９】
前記第一レンズのアッベ数をＶ１とし、前記第三レンズのアッベ数をＶ３とすれば、Ｖ１＞５０、そしてＶ３＞５０との条件を満足することを特徴とする、請求項３に記載の撮影用光学レンズ組。
【請求項１０】
前記第一レンズの前面の曲率半径をＲ１とし、前記第一レンズの背面の曲率半径をＲ２とすれば、０．５＞（Ｒ１／Ｒ２）＞０．２との条件を満足することを特徴とする、請求項5に記載の撮影用光学レンズ組。
【請求項１１】
前記第二レンズの前面の曲率半径をＲ３とし、前記第二レンズの背面の曲率半径をＲ４とすれば、１．０＞（Ｒ３／Ｒ４）＞０．６との条件を満足することを特徴とする、請求項10に記載の撮影用光学レンズ組。
【請求項１２】
前記第三レンズの前面の曲率半径をＲ５とし、前記第三レンズの背面の曲率半径をＲ６とすれば、５．０＞（Ｒ５／Ｒ６）＞１．０との条件を満足することを特徴とする、請求項11に記載の撮影用光学レンズ組。
【請求項１３】
前記第三レンズの前面の曲率半径をＲ５とし、前記第三レンズの背面の曲率半径をＲ６とすれば、４．０＞（Ｒ５／Ｒ６）＞１．５との条件を満足することを特徴とする、請求項12に記載の撮影用光学レンズ組。
【請求項１４】
前記第三レンズの前面の有効直径の高さをＳＡＧ３１とすれば、ＳＡＧ３１＜０ｍｍとの条件を満足することを特徴とする、請求項5に記載の撮影用光学レンズ組。
【請求項１５】
前記第一レンズの焦点距離をｆ１とし、前記第二レンズの焦点距離をｆ２とし、光学系統全体の焦点距離をｆとすれば、｜ｆ／ｆ１｜＞１．０、そして｜ｆ／ｆ２｜＞０．１との条件を満足することを特徴とする、請求項5に記載の撮影用光学レンズ組。
【請求項１６】
前記第二レンズの中心厚さをＣＴ２とすれば、ＣＴ２＜０．３４ｍｍとの条件を満足することを特徴とする、請求項5に記載の撮影用光学レンズ組。
【請求項１７】
前記第二レンズと前記第三レンズとの距離をＴ２３とすれば、Ｔ２３＞０．２ｍｍとの条件を満足することを特徴とする、請求項5に記載の撮影用光学レンズ組。
【請求項１８】
前記第一レンズの周縁厚さをＥＴ１とすれば、ＥＴ１＜０．４ｍｍとの条件を満足することを特徴とする、請求項5に記載の撮影用光学レンズ組。
【請求項１９】
屈摺力を持ち接物側から接像側に順次に排列される、正屈折力を持つ非球面の第一レンズと、負屈折力を持ち非球面である樹脂製の第二レンズと、負屈折力を持つ非球面の第三レンズと、から構成され、更に、前記第一レンズの前に設置され、撮影用光学レンズ組の明るさを制御する絞りが設けてあり、前記第二レンズのアッベ数をV2とすれば、V2＜28との条件を満足することを特徴とする、撮影用光学レンズ組。
【請求項２０】
前記第一レンズは、前面の曲率半径をR1とし、背面の曲率半径をR2とすれば、0.2＜ R1/ R2＜0.5との条件を満足することを特徴とする、請求項１９に記載の撮影用光学レンズ組。
【発明の詳細な説明】
【技術分野】
【０００１】
本発明は、光学レンズ組に係り、特に、撮影可能の携帯電話に使用される撮影用ミニ光学レンズに関するものである。
【背景技術】
【０００２】
最近、撮影可能の携帯電話の普及に従って、撮影用ミニ光学レンズのニーズも高くなっており、なお、一般の撮影用光学レンズの感光素子はＣＭＯＳまたはＣＣＤだけあり、且つ半導体製造技術の進展に伴って、感光素子の画素の面積も縮小になり、だから、撮影用ミニ光学レンズの画素数も多くになり、結像品質に対する要求も厳しくなっている。
【発明の開示】
【発明が解決しようとする課題】
【０００３】
しかしながら、従来の撮影可能の携帯電話の撮影用レンズ組は、正屈折力を持つ第一レンズと、負屈折力を持つ第二レンズと、正屈折力を持つ第三レンズとが接物側から接像側に順序に排列して構成されるものであり、これは「Tripletタイプのレンズ組」とも言われる。このようなタイプのレンズ組は系統の大部分の非点収差を修正でき、且つより広い視角を有するが、構造と大きさが低減できないので、撮影用ミニ光学レンズ組へ適用できない問題がある。
【０００４】
本発明の主な目的は、結像品質を良くにし、レンズ組の体積を有効に縮小できる撮影用光学レンズ組を提供する。
【０００５】
本発明の次の目的は、非点収差を低減し、レンズの点数を低減できる撮影用光学レンズ組を提供する。
【課題を解決するための手段】
【０００６】
結像品質を良くし、レンズ組の体積を有効に縮小するために、本発明の第一発明の撮影用光学レンズ組は、屈摺力を持ち接物側から接像側に順次に排列される、正屈折力を持つ非球面の第一レンズと、負屈折力を持つ第二レンズと、負屈折力を持つ非球面の第三レンズと、など三つのレンズから構成される。
【０００７】
本発明の撮影用光学レンズ組は、系統の屈折力が主に正屈折力を持つ第一レンズを提供し、負屈折力を持つ第二レンズと、負屈折力を持つ第三レンズとは、補正レンズの機能を発揮して、系統の各非点収差をバランスし修正する。
【０００８】
第一レンズで提供する強大な正屈折力により、絞りが接物側に置かれた場合には、撮影用光学レンズ組の高さを短縮することができ、また、上記の配置により、系統の射出瞳（Exit Pupil）が結像面から離れるようになり、そうすると、光線が垂直に接近する方式で感光素子に入射し、これは結像側のTelecentric特性であり、一方、第三レンズの非球面に反曲点が設けてあるので、感光素子に入射可能の光線の軸方向からずれる角度が小さく抑制され、固相電子感光素子の感光能力に対してTelecentric特性が極めて重要な特性であり、Telecentric特性により、電子感光素子の感光鋭敏度が高くなり、系統の暗角の発生可能性も低減になる。
【０００９】
また、撮影可能の携帯電話の撮影用レンズ組の小型化のトレンドと、より広い視角を持つ系統が要求されることに従って、光学系統の焦点距離が短くなり、だから、レンズの曲率半径および寸法が小さくなり、上記のレンズは、伝統的なレンズ研磨方法によって作製することが無理になり、だから、樹脂射出成形によって作製することが一般になり、ローコストで高精度のレンズを作製することが可能になり、そしてレンズに非球面を設け、そうすると、レンズが球面以外の形状にすることができ、だから、非点収差を低減し、レンズの点数を低減することができる。
【００１０】
本発明の撮影用光学レンズ組において、前記第二レンズのアッベ数（Abbe number）をＶ２とすれば、Ｖ２＜２８との条件を満足する場合には、光学系統に発生する色収差を有効に修正することができ、光学レンズ組の分解能が向上する。
【００１１】
そしてＶ２＜２４との条件を満足することが望ましい。
【００１２】
また、本発明の撮影用光学レンズ組において、前記第一レンズのアッベ数をＶ１とし、前記第三レンズのアッベ数をＶ３とすれば、Ｖ１＞５０、そしてＶ３＞５０との条件を満足し、そうすると、光学系統に発生する色収差を有効に修正することができる。
【００１３】
また、本発明の撮影用光学レンズ組において、正屈折力を持つ第一レンズは、前面が凸面であり、背面が凹面であり、負屈折力を持つ第二レンズは、前面が凹面であり、背面が凸面であり、負屈折力を持つ第三レンズは、前面が凸面であり、背面が凹面であり、そうすると、結像品質が向上する。
【００１４】
また、本発明の撮影用光学レンズ組において、前記第一レンズの前面の曲率半径をＲ１とし、前記第一レンズの背面の曲率半径をＲ２とすれば、０．５＞（Ｒ１／Ｒ２）＞０．２との条件を満足する。
【００１５】
Ｒ１／Ｒ２が上記下限値よりも小さい場合には、Ｒ１が相対的に小さくなり、そうすると、系統の非点収差が大きすぎになり、一方、Ｒ１／Ｒ２が上記上限値よりも大きい場合には、Ｒ１が相対的に大きくなり、そうすると、第一レンズの屈折力が小さくなり、だから、絞りを前へ移動しないと、感光素子に入射可能の光線の軸方向からずれる角度を小さく抑制できなく、撮影用光学レンズ組を小型化にすることができない。
【００１６】
また、本発明の撮影用光学レンズ組において、前記第二レンズの前面の曲率半径をＲ３とし、前記第二レンズの背面の曲率半径をＲ４とすれば、１．０＞（Ｒ３／Ｒ４）＞０．６との条件を満足する。
【００１７】
Ｒ３／Ｒ４が上記下限値よりも小さい場合には、Ｒ３が相対的に小さくなり、そうすると、光学系統の全高さが大きすぎになり、一方、Ｒ３／Ｒ４が上記上限値よりも大きい場合には、Ｒ３が相対的に大きくなり、そうすると、光学系統の色収差が修正できない。
【００１８】
また、本発明の撮影用光学レンズ組において、前記第三レンズの前面の曲率半径をＲ５とし、前記第三レンズの背面の曲率半径をＲ６とすれば、５．０（Ｒ５／Ｒ６）＞１．０との条件を満足する。そうすると、光学系統の高級非点収差が容易に修正できる。そして、４．０＞（Ｒ５／Ｒ６）＞１．５との条件を満足することがもっと望ましい。
【００１９】
また、本発明の撮影用光学レンズ組において、第三レンズの前面の有効直径の高さをＳＡＧ３１とすれば、ＳＡＧ３１＜０ｍｍとの条件を満足する。
【００２０】
有効直径高さの方向の定義は、「周縁の有効直径高さが結像側に向く場合には、有効直径高さの方向をプラスと定義し、なお、周縁の有効直径高さが接物側に向く場合には、有効直径高さの方向をマイナスと定義する」。ＳＡＧ３１＜０ｍｍとの条件を満足する場合には、感光素子に入射可能の光線の軸方向からずれる角度を小さくすることができ、且つ光学系統の軸方向以外の非点収差を修正する能力が強化される。
【００２１】
また、ＳＡＧ３１＜−０．１ｍｍとの条件を満足することが望ましい。
【００２２】
また、本発明の撮影用光学レンズ組において、前記第一レンズの焦点距離をｆ１とし、前記第二レンズの焦点距離をｆ２とし、前記第三レンズの焦点距離をｆ３とし、光学系統全体の焦点距離をｆとすれば、｜ｆ／ｆ１｜＞１．０、｜ｆ／ｆ２｜＞０．１、そして｜ｆ／ｆ３｜＞０．２との条件を満足する場合には、光学系統全体の高さを有効に短縮することができ、且つ良い結像品質を維持することもできる。
【００２３】
また、本発明の撮影用光学レンズ組において、前記第二レンズと前記第三レンズとの距離をＴ２３とすれば、Ｔ２３＞０．２ｍｍとの条件を満足する場合には、光学系統の軸方向以外の非点収差を有効に修正することができる。
【００２４】
また、本発明の撮影用光学レンズ組において、前記第二レンズの中心厚さをＣＴ２とすれば、ＣＴ２＜０．３４ｍｍとの条件を満足する場合には、光学系統全体の高さを低減することができる。
【００２５】
また、本発明の撮影用光学レンズ組において、前記第一レンズの周縁厚さをＥＴ１とすれば、ＥＴ１＜０．４ｍｍとの条件を満足する場合には、光学系統全体の高さを低減することができる。周縁厚さの定義は、「レンズの前面と背面との有効直径の位置する箇所の距離を光軸に投影して形成される長さ」である。
【発明の効果】
【００２６】
本発明の撮影用光学レンズ組によれば、結像品質が良くなり、レンズ組の体積を縮小することができ、非点収差が降下し、レンズの点数を低減することができる。
【発明を実施するための最良の形態】
【００２７】
以下、添付図面を参照して本発明の好適な実施の形態を詳細に説明する。
【実施例１】
【００２８】
まず、図１と図２を参照する。図１は本発明の実施例１の光学系統の概略図であり、図２は本発明の実施例１の非点収差曲線図である。本発明の撮影用光学レンズ組は、接物側から接像側に順次に排列される、正屈折力を持つ第一レンズ１０と、負屈折力を持つ第二レンズ２０と、負屈折力を持つ第三レンズ３０と、などの三つのレンズから構成され、更に、絞り４０と、赤外線ろ過レンズ（IR Cut Filter）５０と、結像面６０とを有する。
【００２９】
前記第一レンズ１０は、樹脂で作製されたものであり、前面１１が凸面であり、背面１２が凹面であり、前面１１と背面１２とが非球面である。
【００３０】
前記第二レンズ２０は、樹脂で作製されたものであり、前面２１が凹面であり、背面２２が凸面であり、前面２１と背面２２とが非球面である。
【００３１】
前記第三レンズ３０は、樹脂で作製されたものであり、前面３１が凸面であり、背面３２が凹面であり、前面３１と背面３２とが非球面であり、且つ前記第三レンズ３０には反曲点が設けてある。
【００３２】
前記絞り４０は、前記第一レンズ１０の前に設置され、光学系統の光度を制御する。
【００３３】
前記赤外線ろ過レンズ５０は、前記第三レンズ３０の後ろに設置され、光学系統の焦点距離を影響しない。
【００３４】
前記結像面６０は、前記赤外線ろ過レンズ５０の後ろに設置される。
【００３５】
上記非球面曲線の方程式は下記［数１］の通りである。
【数１】
2008065305.tif 000003
【００３６】
また、本発明の撮影用光学レンズ組において、前記第一レンズ１０のアッベ数（Abbe Number）Ｖ１が６０．３であり、前記第二レンズ２０のアッベ数Ｖ２が２３．４であり、前記第三レンズ３０のアッベ数Ｖ３が５５．８である。
【００３７】
また、本発明の撮影用光学レンズ組において、前記第一レンズ１０の前面の曲率半径をＲ１とし、前記第一レンズ１０の背面の曲率半径をＲ２とし、前記第二レンズ２０の前面の曲率半径をＲ３とし、前記第二レンズ２０の背面の曲率半径をＲ４とし、前記第三レンズ３０の前面の曲率半径をＲ５とし、前記第三レンズ３０の背面の曲率半径をＲ６とすれば、Ｒ１／Ｒ２が０．４３であり、Ｒ３／Ｒ４が０．７８であり、Ｒ５／Ｒ６が２．０５である。
【００３８】
また、本発明の撮影用光学レンズ組において、第三レンズ３０の前面の有効直径の高さをＳＡＧ３１とすれば、ＳＡＧ３１が−０．２ｍｍであり、且つ有効直径高さの方向の定義は、「周縁の有効直径高さが結像側に向く場合には、有効直径高さの方向をプラスと定義し、なお、周縁の有効直径高さが接物側に向く場合には、有効直径高さの方向をマイナスと定義する」。
【００３９】
また、本発明の撮影用光学レンズ組において、第一レンズ焦点距離をｆ１とし、第二レンズ焦点距離をｆ２とし、第三レンズ焦点距離をｆ３とし、光学系統全体の焦点距離をｆとすれば、｜ｆ／ｆ１｜が１．３３であり、｜ｆ／ｆ２｜が０．２３であり、｜ｆ／ｆ３｜が０．４２である。
【００４０】
また、本発明の撮影用光学レンズ組において、前記第二レンズと前記第三レンズとの距離をＴ２３とすれば、Ｔ２３が０．７７６ｍｍである。
【００４１】
また、本発明の撮影用光学レンズ組において、前記第二レンズの中心厚さをＣＴ２とすれば、ＣＴ２が０．３５０ｍｍである。
【００４２】
また、本発明の撮影用光学レンズ組において、前記第一レンズの周縁厚さをＥＴ１とすれば、ＥＴ１が０．３１６ｍｍであり、且つ周縁厚さの定義は、「レンズの前面と背面との有効直径の位置する箇所の距離を光軸に投影して形成される長さ」である。
【００４３】
本発明の実施例１の構造の詳細なデータは表１で示し、非球面のデータは表２で示し、また、曲率半径、厚さ及び焦点距離のユニットがｍｍであり、ＨＦＯＶは「最大視角の半分」と定義される。
【表１】
2008065305.tif 000004
【表２】
2008065305.tif 000005
【実施例２】
【００４４】
まず、図３と図４を参照する。図３は本発明の実施例２の光学系統の概略図であり、図４は本発明の実施例２の非点収差曲線図である。本発明の撮影用光学レンズ組は、接物側から接像側に順次に排列される、正屈折力を持つ第一レンズ１０と、負屈折力を持つ第二レンズ２０と、負屈折力を持つ第三レンズ３０と、などの三つのレンズから構成され、更に、絞り４０と、赤外線ろ過レンズ（IR Cut Filter）５０と、結像面６０とを有する。
【００４５】
前記第一レンズ１０は、樹脂で作製されたものであり、前面１１が凸面であり、背面１２が凹面であり、前面１１と背面１２とが非球面である。
【００４６】
前記第二レンズ２０は、樹脂で作製されたものであり、前面２１が凹面であり、背面２２が凸面であり、前面２１と背面２２とが非球面である。
【００４７】
前記第三レンズ３０は、樹脂で作製されたものであり、前面３１が凸面であり、背面３２が凹面であり、前面３１と背面３２とが非球面であり、且つ前記第三レンズ３０には反曲点が設けてある。
【００４８】
前記絞り４０は、前記第一レンズ１０の前に設置され、光学系統の光度を制御する。
【００４９】
前記赤外線ろ過レンズ５０は、前記第三レンズ３０の後ろに設置され、光学系統の焦点距離を影響しない。
【００５０】
前記結像面６０は、前記赤外線ろ過レンズ５０の後ろに設置される。
【００５１】
実施例２の非球面曲線の方程式は下記［数２］の通りである。
【数２】
2008065305.tif 000006
【００５２】
また、本発明の実施例２の撮影用光学レンズ組において、前記第一レンズ１０のアッベ数（Abbe Number）Ｖ１が６０．３であり、前記第二レンズ２０のアッベ数Ｖ２が２６．６であり、前記第三レンズ３０のアッベ数Ｖ３が５６．８である。
【００５３】
また、本発明の実施例２の撮影用光学レンズ組において、前記第一レンズ１０の前面の曲率半径をＲ１とし、前記第一レンズ１０の背面の曲率半径をＲ２とし、前記第二レンズ２０の前面の曲率半径をＲ３とし、前記第二レンズ２０の背面の曲率半径をＲ４とし、前記第三レンズ３０の前面の曲率半径をＲ５とし、前記第三レンズ３０の背面の曲率半径をＲ６とすれば、Ｒ１／Ｒ２が０．３６であり、Ｒ３／Ｒ４が０．８５であり、Ｒ５／Ｒ６が３．７８である。
【００５４】
また、本発明の実施例２の撮影用光学レンズ組において、第三レンズ３０の前面の有効直径の高さをＳＡＧ３１とすれば、ＳＡＧ３１が−０．０７ｍｍであり、且つ有効直径高さの方向の定義は、「周縁の有効直径高さが結像側に向く場合には、有効直径高さの方向をプラスと定義し、なお、周縁の有効直径高さが接物側に向く場合には、有効直径高さの方向をマイナスと定義する」。
【００５５】
また、本発明の実施例２の撮影用光学レンズ組において、第一レンズ焦点距離をｆ１とし、第二レンズ焦点距離をｆ２とし、第三レンズ焦点距離をｆ３とし、光学系統全体の焦点距離をｆとすれば、｜ｆ／ｆ１｜が１．３１であり、｜ｆ／ｆ２｜が０．０３であり、｜ｆ／ｆ３｜が０．３２である。
【００５６】
また、本発明の実施例２の撮影用光学レンズ組において、前記第二レンズと前記第三レンズとの距離をＴ２３とすれば、Ｔ２３が０．２５０ｍｍである。
【００５７】
また、本発明の実施例２の撮影用光学レンズ組において、前記第二レンズの中心厚さをＣＴ２とすれば、ＣＴ２が０．２９１ｍｍである。
【００５８】
また、本発明の実施例２の撮影用光学レンズ組において、前記第一レンズの周縁厚さをＥＴ１とすれば、ＥＴ１が０．３０１ｍｍであり、且つ周縁厚さの定義は、「レンズの前面と背面との有効直径の位置する箇所の距離を光軸に投影して形成される長さ」である。
【００５９】
本発明の実施例２の構造の詳細なデータは表３で示し、非球面のデータは表４で示し、また、曲率半径、厚さ及び焦点距離のユニットがｍｍであり、ＨＦＯＶは「最大視角の半分」と定義される。
【表３】
2008065305.tif 000007
【表４】
2008065305.tif 000008
【実施例３】
【００６０】
まず、図５と図６を参照する。図５は本発明の実施例３の光学系統の概略図であり、図６は本発明の実施例３の非点収差曲線図である。本発明の撮影用光学レンズ組は、接物側から接像側に順次に排列される、正屈折力を持つ第一レンズ１０と、負屈折力を持つ第二レンズ２０と、負屈折力を持つ第三レンズ３０と、などの三つのレンズから構成され、更に、絞り４０と、赤外線ろ過レンズ（IR Cut Filter）５０と、結像面６０とを有する。
【００６１】
前記第一レンズ１０は、樹脂で作製されたものであり、前面１１が凸面であり、背面１２が凹面であり、前面１１と背面１２とが非球面である。
【００６２】
前記第二レンズ２０は、樹脂で作製されたものであり、前面２１が凹面であり、背面２２が凸面であり、前面２１と背面２２とが非球面である。
【００６３】
前記第三レンズ３０は、樹脂で作製されたものであり、前面３１が凸面であり、背面３２が凹面であり、前面３１と背面３２とが非球面であり、且つ前記第三レンズ３０には反曲点が設けてある。
【００６４】
前記絞り４０は、前記第一レンズ１０の前に設置され、光学系統の光度を制御する。
【００６５】
前記赤外線ろ過レンズ５０は、前記第三レンズ３０の後ろに設置され、光学系統の焦点距離を影響しない。
【００６６】
前記結像面６０は、前記赤外線ろ過レンズ５０の後ろに設置される。
【００６７】
実施例３の非球面曲線の方程式は実施例１と同様である。
【００６８】
また、本発明の実施例３の撮影用光学レンズ組において、前記第一レンズ１０のアッベ数（Abbe Number）Ｖ１が６０．３であり、前記第二レンズ２０のアッベ数Ｖ２が３０．２であり、前記第三レンズ３０のアッベ数Ｖ３が５６．８である。
【００６９】
また、本発明の実施例３の撮影用光学レンズ組において、前記第一レンズ１０の前面の曲率半径をＲ１とし、前記第一レンズ１０の背面の曲率半径をＲ２とし、前記第二レンズ２０の前面の曲率半径をＲ３とし、前記第二レンズ２０の背面の曲率半径をＲ４とし、前記第三レンズ３０の前面の曲率半径をＲ５とし、前記第三レンズ３０の背面の曲率半径をＲ６とすれば、Ｒ１／Ｒ２が０．３７であり、Ｒ３／Ｒ４が０．８３であり、Ｒ５／Ｒ６が１．２２である。
【００７０】
また、本発明の実施例３の撮影用光学レンズ組において、第三レンズ３０の前面の有効直径の高さをＳＡＧ３１とすれば、ＳＡＧ３１が０．０２ｍｍであり、且つ有効直径高さの方向の定義は、「周縁の有効直径高さが結像側に向く場合には、有効直径高さの方向をプラスと定義し、なお、周縁の有効直径高さが接物側に向く場合には、有効直径高さの方向をマイナスと定義する」。
【００７１】
また、本発明の実施例３の撮影用光学レンズ組において、第一レンズ焦点距離をｆ１とし、第二レンズ焦点距離をｆ２とし、第三レンズ焦点距離をｆ３とし、光学系統全体の焦点距離をｆとすれば、｜ｆ／ｆ１｜が１．１８であり、｜ｆ／ｆ２｜が０．０３であり、｜ｆ／ｆ３｜が０．０５である。
【００７２】
また、本発明の実施例３の撮影用光学レンズ組において、前記第二レンズと前記第三レンズとの距離をＴ２３とすれば、Ｔ２３が０．０３７ｍｍである。
【００７３】
また、本発明の実施例３の撮影用光学レンズ組において、前記第二レンズの中心厚さをＣＴ２とすれば、ＣＴ２が０．４００ｍｍである。
【００７４】
また、本発明の実施例３の撮影用光学レンズ組において、前記第一レンズの周縁厚さをＥＴ１とすれば、ＥＴ１が０．４２０ｍｍであり、且つ周縁厚さの定義は、「レンズの前面と背面との有効直径の位置する箇所の距離を光軸に投影して形成される長さ」である。
【００７５】
本発明の実施例３の構造の詳細なデータは表５で示し、非球面のデータは表６で示し、また、曲率半径、厚さ及び焦点距離のユニットがｍｍであり、ＨＦＯＶは「最大視角の半分」と定義される。
【表５】
2008065305.tif 000009
【表６】
2008065305.tif 000010
【実施例４】
【００７６】
まず、図７と図８を参照する。図７は本発明の実施例４の光学系統の概略図であり、図８は本発明の実施例４の非点収差曲線図である。本発明の撮影用光学レンズ組は、接物側から接像側に順次に排列される、正屈折力を持つ第一レンズ１０と、負屈折力を持つ第二レンズ２０と、負屈折力を持つ第三レンズ３０と、などの三つのレンズから構成され、更に、絞り４０と、赤外線ろ過レンズ（IR Cut Filter）５０と、結像面６０とを有する。
【００７７】
前記第一レンズ１０は、樹脂で作製されたものであり、前面１１が凸面であり、背面１２が凹面であり、前面１１と背面１２とが非球面である。
【００７８】
前記第二レンズ２０は、樹脂で作製されたものであり、前面２１が凹面であり、背面２２が凸面であり、前面２１と背面２２とが非球面である。
【００７９】
前記第三レンズ３０は、樹脂で作製されたものであり、前面３１が凸面であり、背面３２が凹面であり、前面３１と背面３２とが非球面であり、且つ前記第三レンズ３０には反曲点が設けてある。
【００８０】
前記絞り４０は、前記第一レンズ１０の前に設置され、光学系統の光度を制御する。
【００８１】
前記赤外線ろ過レンズ５０は、前記第三レンズ３０の後ろに設置され、光学系統の焦点距離を影響しない。
【００８２】
前記結像面６０は、前記赤外線ろ過レンズ５０の後ろに設置される。
【００８３】
実施例４の非球面曲線の方程式は実施例１と同様である。
【００８４】
また、本発明の実施例４の撮影用光学レンズ組において、前記第一レンズ１０のアッベ数（Abbe Number）Ｖ１が６０．３であり、前記第二レンズ２０のアッベ数Ｖ２が２３．４であり、前記第三レンズ３０のアッベ数Ｖ３が５５．８である。
【００８５】
また、本発明の実施例４の撮影用光学レンズ組において、前記第一レンズ１０の前面の曲率半径をＲ１とし、前記第一レンズ１０の背面の曲率半径をＲ２とし、前記第二レンズ２０の前面の曲率半径をＲ３とし、前記第二レンズ２０の背面の曲率半径をＲ４とし、前記第三レンズ３０の前面の曲率半径をＲ５とし、前記第三レンズ３０の背面の曲率半径をＲ６とすれば、Ｒ１／Ｒ２が０．３８であり、Ｒ３／Ｒ４が０．８１であり、Ｒ５／Ｒ６が１．１２である。
【００８６】
また、本発明の実施例４の撮影用光学レンズ組において、第三レンズ３０の前面の有効直径の高さをＳＡＧ３１とすれば、ＳＡＧ３１が０．０９ｍｍであり、且つ有効直径高さの方向の定義は、「周縁の有効直径高さが結像側に向く場合には、有効直径高さの方向をプラスと定義し、なお、周縁の有効直径高さが接物側に向く場合には、有効直径高さの方向をマイナスと定義する」。
【００８７】
また、本発明の実施例４の撮影用光学レンズ組において、第一レンズ焦点距離をｆ１とし、第二レンズ焦点距離をｆ２とし、第三レンズ焦点距離をｆ３とし、光学系統全体の焦点距離をｆとすれば、｜ｆ／ｆ１｜が１．１２であり、｜ｆ／ｆ２｜が０．０９であり、｜ｆ／ｆ３｜が０．０１である。
【００８８】
また、本発明の実施例４の撮影用光学レンズ組において、前記第二レンズと前記第三レンズとの距離をＴ２３とすれば、Ｔ２３が０．０５０ｍｍである。
【００８９】
また、本発明の実施例４の撮影用光学レンズ組において、前記第二レンズの中心厚さをＣＴ２とすれば、ＣＴ２が０．３５０ｍｍである。
【００９０】
また、本発明の実施例４の撮影用光学レンズ組において、前記第一レンズの周縁厚さをＥＴ１とすれば、ＥＴ１が０．３８２ｍｍであり、且つ周縁厚さの定義は、「レンズの前面と背面との有効直径の位置する箇所の距離を光軸に投影して形成される長さ」である。
【００９１】
本発明の実施例４の構造の詳細なデータは表７で示し、非球面のデータは表８で示し、また、曲率半径、厚さ及び焦点距離のユニットがｍｍであり、ＨＦＯＶは「最大視角の半分」と定義される。
【表７】
2008065305.tif 000011
【表８】
2008065305.tif 000012
【００９２】
そして、ここで特に説明したいのは、表１から表８に示すのは撮影用光学レンズ組の異なる実施例の数値変化を示す表であり、各実施例の数値変化は全て実験で得られたものであり、これと異なる数値を使用しても、同様な構造を持つ製品であれば、これらも本発明の特許請求範囲に属する。表９は本発明の関連方程式に対応する各実施例の数値である。
【表９】
2008065305.tif 000013
【図面の簡単な説明】
【００９３】
【図１】本発明の実施例１の光学系統の概略図である。
【図２】本発明の実施例１の非点収差曲線図である。
【図３】本発明の実施例２の光学系統の概略図である。
【図４】本発明の実施例２の非点収差曲線図である。
【図５】本発明の実施例３の光学系統の概略図である。
【図６】本発明の実施例３の非点収差曲線図である。
【図７】本発明の実施例４の光学系統の概略図である。
【図８】本発明の実施例４の非点収差曲線図である。
【符号の説明】
【００９４】
１０      第一レンズ
１１      前面
１２      背面
２０      第二レンズ
２１      前面
２２      背面
３０      第三レンズ
３１      前面
３２      背面
４０      絞り
５０      赤外線ろ過レンズ
６０      結像面
Ｖ１      第一レンズアッベ数
Ｖ２      第二レンズアッベ数
Ｖ３      第三レンズアッベ数
Ｒ１      第一レンズ前面曲率半径
Ｒ２      第一レンズ背面曲率半径
Ｒ３      第二レンズ前面曲率半径
Ｒ４      第二レンズ背面曲率半径
Ｒ５      第三レンズ前面曲率半径
Ｒ６      第三レンズ背面曲率半径
ＳＡＧ３１  第三レンズ前面有効直径高さ
ｆ１      第一レンズ焦点距離
ｆ２      第二レンズ焦点距離
ｆ３      第三レンズ焦点距離
ｆ        光学系統全体の焦点距離
Ｔ２３    第二レンズと第三レンズとの距離
ＣＴ２    第二レンズ中心厚さ
ＥＴ１    第一レンズ周縁厚さ
【図１】
2008065305.tif 000014
【図２】
2008065305.tif 000015
【図３】
2008065305.tif 000016
【図４】
2008065305.tif 000017
【図５】
2008065305.tif 000018
【図６】
2008065305.tif 000019
【図７】
2008065305.tif 000020
【図８】
2008065305.tif 000021